(57)【要約】【課題】本発明は、従来の外部取り付け自動車窓用ガラスのロールスクリーンがきわめて雪や凍結に弱いという重大な欠点を解決することを目的とする。またファッション性を高め、空気抵抗を減少することを目的とする。【解決手段】押しつぶされたような形状の螺旋状の巻き取り構造を内部に有し、しかも外部に露出したスクリーン部は相互間に間隔をおいて巻き取られる構造を内部に有する引き出し収納可能なロールスクリーン装置により解決した。【選択図】図２
2006200346.tif 000002
【特許請求の範囲】
【請求項１】
ロールスクリーンにおいて、収納部が内部に２つ以上の軸を有し螺旋軌道に近いかたちの収納型をなし、なおかつ内部のスクリーンまたは生地同士の間に空気層を介在させた構造であり、軸部相互間にも空間を保持したことを特徴とする筐体の大きさを小さく高さを低くしたロールスクリーン装置。
【請求項２】
ロールスクリーンにおいて、収納部が内部に２つ以上の軸を有し螺旋軌道に近いかたちの収納型をなし、その軸は多階層になっており、なおかつ内部のスクリーンまたは生地同士の間に空気層を介在させた構造であり、軸部相互間にも空間を保持したことを特徴とする筐体の大きさを小さく高さを低くしたロールスクリーン装置。
【請求項３】
ロールスクリーンにおいて、収納部が内部に２つ以上の軸を有し螺旋軌道に近いかたちの収納型をなし、２つ以上の軸は平行、又は平行以外上下、斜め、左右の構造を少なくとも一対をとっており、かつ内部のスクリーンまたは生地同士の間に空気層を介在させた構造であり、軸部相互間にも空間を保持したことを特徴とする筐体の大きさを小さく高さを低くしたロールスクリーン装置。
【請求項４】
ロールスクリーンにおいて、収納部が内部に２つ以上の軸を有し螺旋軌道に近いかたちの収納型をなし、軸の大きさはすべて同一、または同一でなく、なおかつ内部のスクリーンまたは生地同士の間に空気層を介在させた構造であり、軸部相互間にも空間を保持したことを特徴とする筐体の大きさを小さく高さを低くしたロールスクリーン装置。
【請求項５】
ロールスクリーンにおいて、収納部が内部に２つ以上の軸を有し螺旋軌道に近いかたちの収納型をなし、その一つ以上の軸は湾曲、多角形、直線から選ばれた形状を有する軸を持ち、かつ内部のスクリーンまたは生地同士の間に空気層を介在させた構造であり、軸部相互間にも空間を保持したことを特徴とする筐体の大きさを小さく高さを低くしたロールスクリーン装置。
【請求項６】
ロールスクリーンにおいて、収納部が内部に２つ以上の軸を有し螺旋軌道に近いかたちの収納型をなし、なおかつ内部のスクリーンまたは生地同士の間に空気層を介在させた構造であり、スクリーンまたは生地の一部分表、（外、屋外）に出る部分以外の筐体の中に収納されている部分の形状が紐や平らな紐状物、またそのスクリーンの素材か以外の形状、素材であり、軸部相互間にも空間を保持したことを特徴とする筐体の大きさを小さく高さを低くしたロールスクリーン装置。
【請求項７】
ロールスクリーンにおいて、収納部が内部に２つ以上の軸を有し螺旋軌道に近いかたちの収納型をなし、なおかつ内部のスクリーンまたは生地同士の間に空気層を介在させた構造であり、軸部相互間にも空間を保持し、収納部には着脱部が付属しており、それはゴム磁石、磁石、吸盤、ねじ止め、はさみ止め、粘着部からのいずれかを持つことを特徴とする筐体の大きさを小さく高さを低くしたロールスクリーン装置。
【請求項８】
自動車用ロールスクリーンにおいて、収納部が内部に２つ以上の軸を有し螺旋軌道に近いかたちの収納型をなし、なおかつ内部のスクリーンまたは生地同士の間に空気層を介在させた構造であり、軸部相互間にも空間を保持し、自動車外部に装着し、収納部には着脱部が付属しており、それはゴム磁石、磁石、吸盤、ねじ止め、はさみ止め、粘着部からのいずれかを持つことを特徴とする筐体の大きさを小さく高さを低くした自動車用外部ロールスクリーン装置。
【発明の詳細な説明】
【技術分野】
【０００１】本願発明は新規な多層式、多軸、螺旋構造を有するロールスクリーン及びスクリーン相互非接触型ロールスクリーン装置に関する。
【背景技術】
【０００２】  従来一般にサンバイザーとしては車の内部に遮光物をたてかけるとか遮光物を広げるとか遮光物を吸盤ではりつける方法が広く知られている。しかしこれらはいずれも設置、取り外しが面倒であった。外部を布でおおったりダンボールでおおったり、付着した霜の除去に削りとったりした。しかしこれらは収納、紛失、装着時間に大きな問題があった。【０００３】このため本発明者はすでにスクリーンの巻き取り収納時にスクリーン同士が所定の隙間を保持する方法による巻き取り軸を多重同心円にする方法を提案した（特許文献１参照）。しかしながらその手段（特許文献１）は、多重同心円という構造からその構造が円のため筐体の大きさが大きなものになってしまうという欠点があった。またスクリーンの形状がその構造から見栄えがよくない物でもあった。またこの技術を利用し実施したところスクリーンに芯材があるために、雪が降った場合にはスクリーンに付着した雪を除去する時にその芯材が変形（変形は巻取り不能をもたらす）してしまうという重大な欠点が判明した。
【特許文献１】特開２００４−３２４３３６
【発明が解決しようとする課題】
【０００４】本発明の目的は上記の中の後者の手段にともなう諸欠点を克服することにある。それらの欠点とは筐体のかさ高さ、スクリーンの形状の見栄え不良、スクリーンに付着した雪の除去時スクリーンにいれた芯材の破壊、変形、巻取り不良などを克服することにある。
【課題を解決するための手段】
【０００５】（１）ロールスクリーンにおいて、収納部が内部に２つ以上の軸を有し螺旋軌道に近いかたちの収納型をなし、なおかつ内部のスクリーンまたは生地同士の間に空気層を介在させた構造であり、軸部相互間にも空間を保持したことを特徴とする筐体の大きさを小さく高さを低くしたロールスクリーン装置である。
（２）ロールスクリーンにおいて、収納部が内部に２つ以上の軸を有し螺旋軌道に近いかたちの収納型をなし、その軸は多階層になっており、なおかつ内部のスクリーンまたは生地同士の間に空気層を介在させた構造であり、軸部相互間にも空間を保持したことを特徴とする筐体の大きさを小さく高さを低くしたロールスクリーン装置である。（図２参照）
【０００６】（３）ロールスクリーンにおいて、収納部が内部に２つ以上の軸を有し螺旋軌道に近いかたちの収納型をなし、２つ以上の軸は平行、又は平行以外上下、斜め、左右の構造を少なくとも一対をとっており、かつ内部のスクリーンまたは生地同士の間に空気層を介在させた構造であり、軸部相互間にも空間を保持したことを特徴とする筐体の大きさを小さく高さを低くしたロールスクリーン装置である。（図２参照）
（４）ロールスクリーンにおいて、収納部が内部に２つ以上の軸を有し螺旋軌道に近いかたちの収納型をなし、軸の大きさはすべて同一、または同一でなく、なおかつ内部のスクリーンまたは生地同士の間に空気層を介在させた構造であり、軸部相互間にも空間を保持したことを特徴とする筐体の大きさを小さく高さを低くしたロールスクリーン装置である。（図２参照）
【０００７】（５）ロールスクリーンにおいて、収納部が内部に２つ以上の軸を有し螺旋軌道に近いかたちの収納型をなし、その一つ以上の軸は湾曲、多角形、直線から選ばれた形状を有する軸を持ち、かつ内部のスクリーンまたは生地同士の間に空気層を介在させた構造であり、軸部相互間にも空間を保持したことを特徴とする筐体の大きさを小さく高さを低くしたロールスクリーン装置である。
（６）ロールスクリーンにおいて、収納部が内部に２つ以上の軸を有し螺旋軌道に近いかたちの収納型をなし、なおかつ内部のスクリーンまたは生地同士の間に空気層を介在させた構造であり、スクリーンまたは生地の一部分表、（外、屋外）に出る部分以外の筐体の中に収納されている部分の形状が紐や平らな紐状物、またそのスクリーンの素材以外の形状、素材であり、軸部相互間にも空間を保持したことを特徴とする筐体の大きさを小さく高さを低くしたロールスクリーン装置である。（図１のＬ、図４のＬ）
【０００８】（７）ロールスクリーンにおいて、収納部が内部に２つ以上の軸を有し螺旋軌道に近いかたちの収納型をなし、なおかつ内部のスクリーンまたは生地同士の間に空気層を介在させた構造であり、軸部相互間にも空間を保持し、収納部には着脱部が付属しており、それはゴム磁石、磁石、吸盤、ねじ止め、はさみ止め、粘着部からのいずれかを持つことを特徴とする筐体の大きさを小さく高さを低くしたロールスクリーン装置である。
（８）自動車用ロールスクリーンにおいて、収納部が内部に２つ以上の軸を有し螺旋軌道に近いかたちの収納型をなし、なおかつ内部のスクリーンまたは生地同士の間に空気層を介在させた構造であり、軸部相互間にも空間を保持し、自動車外部に装着し、収納部には着脱部が付属しており、それはゴム磁石、磁石、吸盤、ねじ止め、はさみ止め、粘着部からのいずれかを持つことを特徴とする筐体の大きさを小さく高さを低くした自動車用外部ロールスクリーン装置である。このように自動車ようにもちいたときに格別のすぐれた効果を発揮する。本発明は、下記構成を備えることにより上記課題を解決できるものである。
【０００９】本発明の内容を図１，２、４をもちいながら詳しく説明すると次の通りである。ロールスクリーン装置（Ｎ）において、収納部９が内部に２つ以上の軸（Ａ、６、４，８）を有し押しつぶした形の螺旋軌道に近いかたち、つまり間隔付のつぶれたうずまき状の収納型をなし、なおかつ筐体（９）と内部のスクリーン（１）または生地同士の間に空気層（ｂ〜ｉ）を介在させた構造であり、軸部相互間（ｃ，ｆ、ｉ）にも空間を保持したことを特徴とする筐体の大きさを小さく高さを低くしたロールスクリーン装置である。
【００１０】本発明は、簡単に言えば従来の外部取り付け自動車窓用ガラスのロールスクリーンがきわめて雪や凍結に弱いという重大な欠点を解決することを目的とし、またファッション性を高め、空気抵抗を減少することを目的としているが、それを押しつぶされたような形状の螺旋状の巻き取り構造を内部に有し、しかも外部に露出したスクリーン部は相互間に間隔をおいて巻き取られる構造を内部に有する引き出し収納可能なロールスクリーン装置により解決したといえる。
【００１１】図１、４ではスクリーン（１）の延長部は（８）で巻き取られ、（４）がテンションロール、（Ａ）はガイド、（Ｍ）はスクリーンを巻き込む時に巻き込みやすくするためのガイド、（Ｋ）はスクリーン端部に取り付ける芯（Ｊ）はスクリーンを引き出すための耳部である。
このようにフロントガラスやリヤガラスなどの前で出し入れする。図２では巻き取り軸（８）のなかには巻き取りばねが入っている。ばねの巻き取りテンションは張力をかけることによって巻き戻しができ、引き出しができる。（２）がスクリーン出入り口でありガイド軸（Ａ）をへてサポート軸（３）をさらにへてテンション軸（４）をとおりサポート軸（５）をへて軸（６）をへてさらにサポート軸（７）をへて巻き取り軸（８）にいたる。図２ではロール及び軸がおおいので「多層階」になっている。軸が１つの場合には多層階にならない。
【００１２】（１）  ２つ以上の軸を有することで螺旋軌道によってスクリーンを収納する。又軸の数や軸との距離を調整（増減）することによってスクリーンの長さを自由に調整することができる。
（２）  スクリーンが出入りするための軸、ガイドは湾曲、多面構造を有し、スクリーンにテンションを適度にかけることができる。またそのガイド、軸が湾曲、多面式構造のためその使用は平らな面以外の例えば曲面の形状にも対応出来る。
【００１３】（３）  巻き取る軸の位置を上下、斜め、左右にずらすことによって巻き始めの始点をずらしていくことによってそれぞれ独立した形状で収納、巻き取られていくことによってスクリーン同士が接触することなく、スクリーン相互間に隙間を保持して空気層を介在させ、多層階形状に収納、巻き取られていく。
【００１４】（４）  収納、巻き取り方法はおりたたみ式、アコーデオン式、蛇腹式、ブラインド式、スクリーン例えばカメラのフイルムのように穴が等間隔にあいていて、巻き取る軸のほうには歯車のような形状を有しカメラのフイルムが巻き取られるような構造を有する構造にもできる。
【００１５】（５）  スクリーンを収納する筐体についてはデザイン（自動車に装着の場合はデザイン性、走行性、空力）を考慮しその筐体の外観を自由に変えることが可能。また自動車に関わらずあらゆる乗り物にその軸の位置や数を自由に変えることによって筐体を自由に変化させられることで対応できる。
【００１６】（６）  筐体の中から実際に外に出るスクリーン、生地の長さ以外に関しては、同量又は同量以上、以下でもかまわない。同じ素材や同じ形状を有する物の必要はなく、「スクリーン本体」を引っ張り出す、または引き下げるもしくは左右にひっぱったりすることが可能であればその形態はなんでもかまわない。もちろん同一素材、同一形状でもよい。
（７）  すべての軸、ガイド用軸はスクリーンにテンションをかけられる位置に配置しスクリーンが途中でたるむようなことがない位置に配置する構造をとる。
【００１７】（８）  巻取り体のスクリーンに接触する表面に線状の凸凹部を形成し、スクリーンの面と軸との接触面積を減らす構成とした軸を有する構成とすることもできる。（図３参照）図３は巻き取り軸の断面図で凹部が設けられているのでスクリーンとの密着がすくなくなる。本発明の例を図４に示すと、図４のようになる。筐体からスクリーンが引き出された状態の斜視図である。但し例えば自動車の本体は省略している。図５は本発明のながて方向に対して直角の断面で見た筐体の形状例Ｘ，Ｙ，Ｚを示す。このように扁平または流線型に近いファッション性のある形状を選べるのが本発明の特徴でもある。
【００１８】（９）  巻取り収納の方法としては、電動モーター、バネ、手動、ぜんまい、スプリング等の装置の構成が適宜選ばれる。
（１０）  軸、ガイド軸の素材は剛性のある素材、例えば樹脂製、金属性であるがスクリーンが垂れないように補助的な作用のある軸、ガイド軸に関しては必ずしも剛性がなくとも可能である。ようするにスクリーンが垂れたり、することなく巻き取られていくことをサポートすることが出来る範囲の強度のある素材を使用する。しかし引っ張り出すときに大きな力のかかる（テンション）がかかる軸に関してはその力に必要とされる強度を要する素材である。
【発明の効果】
【００１９】▲１▼スクリーン自身に設けていたテンションバーが不要になり変形破損による巻き取り不良がなくなり良好な引き出し収納ができるようになった。
▲２▼スクリーン同士の付着防止、接触防止、予防が可能となりすぐれたスノーバイザー、サンバイザーになった。
▲３▼スクリーンまたは生地を収納する筐体の大きさを小さく、また筐体の高さをできるかぎり低く収めることが可能となった。
▲４▼スクリーンの素材、生地同士が密着していないため、かびなどの抑制、予防が可能となった。
▲５▼スクリーンの巻き取り収納時にスクリーン同士が所定の隙間を保持し、空気層を介在して巻き取り可能な巻き取り機構を備えたため、霜付きや凍結、スクリーン同士の熱による付着、スクリーン同士が密着していたため濡れた状態で巻き取った時のカビの発生というトラブルを未然に防止可能なロールスクリーン装置を提供できた。
【００２０】▲６▼着脱が容易に可能である。さらに市販されているキャリア金具が有効に使えるのもメリットである。
▲７▼高いファッショ性があり見栄えよい。
▲８▼部品交換が容易となった。
▲９▼宣伝広告もより見やすくいれられる。（外部だから）
▲１０▼社名、所有者名もいれられることによって盗難予防になる。
▲１１▼外部なので遮蔽、保温効果が内部よりも格段に高い。
▲１２▼流線型による空気抵抗の軽減効果をはたした。
▲１３▼外部なので作業性（操作）が内部（従来）よりもすぐれている。
【実施例】
【００２１】    以下の実施例により、本発明を更に詳細に説明する。しかし、本実施例により、本発明の有効性が、限定解釈されるものではない。
（実施例１）【００２２】図１、２においてスクリーン１をスクリーンの出入り箇所２より湾曲もしくは多面形の引き出し（収納）ガイド軸Ａからサポート用の軸３をかいして軸４へテンションのかかった状態で半分巻いた状態からサポート軸５を通って６の軸を介在して更にサポート用軸７を介して巻き取り機能を有する軸８にスクリーン１と接合された紐状のような（Ｌ、図１参照）ものによって巻き取る機構を有し、前記スクリーン１を収納可能な筐体９を備え、使用時にはＪのようなつまみを引っ張って使用した。またスクリーンの端部にはかぜなどでまくれたりあおられたりしてスクリーンがあばれたり、動いたり、なびいたりして固定できないことなどを防ぐための芯Ｋがある。またその芯を利用してスクリーンを固定することが可能。収納時にはスクリーン１同士が接触することなく、スクリーン１、筐体９の相互間と軸と軸との間に隙間ｂ〜ｉを保持して空気層を介在させた、同時に螺旋、多軸、多層構造のＮとなるように巻き取る構成とした。
（実施例２）【００２３】図３に示すように、実施例１で用いた螺旋巻き取りのスクリーン１が接触する軸の表面に凸凹を形成してスクリーン１と軸３〜８、Ａとの接触面積を減らして線接触を点接触にすることで例えば凍結によるスクリーン１と軸３〜８，Ａ、Ｌとの付着等の不都合となる要因を削減することができる【００２４】  （実施例３）
スクリーンに空気層を介在させたスクリーン同士が密着していない状態の構成でスクリーンを濡らした条件で真冬に外で収納した状態で放置した。結果スクリーン同士が凍りつくことなく再度可動することが可能であった。（スクリーンの生地はエクスランバンティング（東洋坊（株）アクリルエクスラン１００％）にてテスト）【００２５】（比較例）上記実施例３のスクリーンに空気層を介在せずスクリーン同士が密着して巻き上がる構成でスクリーンを濡らした状態で真冬に外で収納した結果、生地同士が水分で凍りつき再度可動することが不可能であった。（スクリーンの生地はエクスランバンティングにてテスト）
【好ましい範囲及び変更可能な範囲】
【００２６】スクリーンの表面に積雪や障害物（落ち葉、枯れ枝等）などが少ない、もしくはない状況での使用が好ましい。
スクリーンの素材においてはエクスランバンティング（東洋坊（株）アクリルエクスラン１００％）の使用が特に好ましい。
【００２７】スクリーン又は生地は表、（外、屋外）に出る部分以外の筐体の中に収納されている部分に関してはその形状は紐や平らな紐常、またそのスクリーンの素材以外の形状、素材でもかまわない。例えば（チェーン、ワイヤー、てぐす、帯、釣り糸、紐、銅線、ゴム、樹脂など）。スクリーンと接続し巻き取ることが可能な形態であればよい。巻き取りの方法でモーターを使用する場合はリモコン操作（遠隔操作）も好ましい。巻き取り操作においてボールチェーン型、操作紐、チェーン、などを利用してオペレーター機能を有した巻取り操作も好ましい。スクリーンの両端部（左右）に引き出すときにガイドレールを使用することも好ましい。この場合のガイドレールとはスクリーンを使用とするもの側に取り付けてあってもよい。キャリア、キャリアバー、スキーキャリア、スノーボードキャリア、サーフィン用キャリア、ウインドサーフィン用キャリアに内蔵して使用するとよい。
【００２８】スクリーンの素材においてエクスランバンティングを発熱性のある素材に変更することも好ましい。スクリーンの素材においてエクスランバンティングを撥水性のある素材に変更も好ましい。スクリーンの素材においてエクスランバンティングを撥油性のある素材に変更も好ましい。スクリーンの素材においてエクスランバンティングを光ファイバーに変更しても好ましい。スクリーンの素材においてエクスランバンティングを防カビ、抗菌効果のある素材に変更しても好ましい。スクリーンの素材においてエクスランバンティングを断熱性のある素材に変更も好ましい。
【００２９】スクリーンの素材においてエクスランバンティングを遮音性のある素材に変更も好ましい。スクリーンの素材においてエクスランバンティングを複層構造の素材に変更しも好ましい。スクリーンの素材においてエクスランバンティングを防水性の素材に変更しても好ましい。スクリーンの素材においてエクスランバンティングをＵＶ加工の施された素材も好ましい。スクリーンの素材においてエクスランバンティングを電熱線入りの素材に変更も好ましい。スクリーンの素材においてエクスランバンティングを自然素材（例えば小枝、竹、木の皮、つる、葉っぱ、等）の素材に変更も好ましい。スクリーンの素材においてエクスランバンティングを紙、ダンボール、などの紙性の素材に変更も好ましい。この筐体の中に位置発信装置を取り付け車両及びこの装置の盗難を予防することも好ましい。
【００３０】収納する筐体においてその筐体自身が発熱することができる構造（例えばヒーター内蔵、熱風、熱気が出る装置、その筐体自身が発熱する素材）にすると好ましい。
【００３１】収納する筐体において発光性のある装置（例えばＬＥＤ、その物に熱が加わると発光する素材）で構成される筐体も好ましい。
【００３２】巻き取り軸（ガイド軸、サポート用軸）においてその軸（ガイド軸、サポート用軸）に発熱する機能をもたせた構造例えば（電熱線、ヒーター、熱風、熱気が出る装置、その素材自体が発熱、発光する素材）とすることも好ましい。
【００３３】収納の方法において巻き取りをスタッフィング、ダンシングロール式に変更することも好ましい。
【００３４】本発明は屋外以外では屋内、車内、室内でも使用可能である。なお、本発明には、次の各構成を発明の内容として、含むものである。
Ａ．構造においてその各部品を容易に交換、変更可能とすること。
Ｂ．スクリーンにおいて変更が容易であり、任意のロゴや商標マーク、社名などのＣＭ効果のある物に変更が可能とすること。
以下の用途で屋内屋外共に使用可能なように記載したが本発明は屋外での使用において格段の優れた効果を有することは申すまでもない。
【可能な用途】
【００３５】自動車のフロントガラス、リヤガラス、側面ガラスへの霜付き防止、凍結防止、日除け、目隠しに使用できる。▲２▼自動車のスポイラー、ウイング、リヤウイング、リヤスポイラー、フロントウイング等に内臓可能である。▲３▼自動車に限らずガラス、強化ガラスを有する乗り物すべてに用途がある。飛行機、船、電車、ヘリコプター、戦車等などに（室内、室外共）。▲４▼曲面、多面を問わずあらゆる形状の窓ガラスへの使用（屋内、屋外共）。▲５▼自動車のルーフトップに装着しての使用。▲６▼自動車に内蔵式での使用。▲７▼あらゆる乗り物に内蔵しての使用。
【００３６】▲８▼庇等に内蔵しての使用。▲９▼壁面への宣伝広告等での使用（屋内、屋外共）。▲１０▼投影用スクリーン等に使用（屋内、屋外共）。▲１１▼あらゆる光源のシェードとして使用（屋内、屋外共）。▲１２▼冷凍冷蔵などの入り口や温度の状態を保つことが必要な用途のある箇所への使用。▲１３▼浴槽のふた、又浴槽に内蔵してふたとしての使用。▲１４▼キッチンの流しのふた、目隠し代わり又はスクリーンの素材を変更することによって作業台等にもなることが可能。▲１５▼屋根としての使用（屋内、屋外共）。▲１６▼テントとしての使用▲１７▼自動車のフロントガラス、リヤガラスに装着して宣伝用、トラックやトランスポーター等、興行的な場所に駐車している状況でのスポンサー広告、宣伝、またはロゴ、商標マーク、会社名等をスクリーンに印刷、染色、コピー、などして書いての宣伝広告。
【図面の簡単な説明】
【００３７】
【図１】本願発明で得られた多軸型相互非接触スクリーン収納装置の（斜視図）
【図２】実施例１における巻取り機構を示す側面図
【図３】実施例２における巻取り軸の断面図
【図４】本願発明の使用例（斜視図）
【図５】筐体のデザイン例の側面図
【符号の説明】
【００３８】１    スクリーン
２    スクリーン出入り口
３    サポート用軸
４    テンションがかかる軸、テンションロール
５    サポート用軸
６    軸
７    サポート用軸
８    巻き取り機能を有する軸
９    筐体
Ａ    湾曲、もしくは多面形のスクリーンを引き出す、収納するためのガイド軸
ｂ    筐体９とスクリーン１との隙間
ｃ    軸４と軸８との隙間
ｄ    軸８とスクリーン１との隙間
ｅ    筐体９とスクリーン１との隙間
ｆ    軸６と軸Ａとの隙間
ｇ    軸３とスクリーン１との隙間
ｈ    スクリーン１が巻き取られた状態のときの隙間
ｉ    軸６と巻き取り軸８との隙間
Ｊ    スクリーン１を引き出しやすくするための耳
Ｋ    スクリーンの端部に取り付ける芯
Ｌ    スクリーンと巻き取り軸本体をつなぐための紐じょうのような物
Ｍ    スクリーン上部に設けた巻き込みやすくするためのガイド
Ｎ    収納体の構造部分すべてを含む物
Ｘ    筐体デザイン例
Ｙ    筐体デザイン例
Ｚ    筐体デザイン例
【図１】
2006200346.tif 000003
【図２】
2006200346.tif 000004
【図３】
2006200346.tif 000005
【図４】
2006200346.tif 000006
【図５】
2006200346.tif 000007